(57)【要約】【課題】  濃度計を設けることなく、適正なバイオガスを供給することができるバイオガス供給装置を提供する。【解決手段】  バイオガス供給装置は、発酵槽で発生するバイオガスを燃焼する燃焼装置と、燃焼装置にバイオガスを供給する状態と、バイオガスを使用するガス使用装置に、バイオガスを供給する状態と、を切り替える切替部と、燃焼装置及び切替部を制御する制御装置と、を備え、制御装置は、燃焼装置でバイオガスの燃焼試験をさせる燃焼試験制御部と、燃焼試験の結果に基づいて、バイオガスをガス使用装置に供給することの是非を判定する供給判定部と、供給判定部がバイオガスをガス使用装置に供給することを是と判定する場合に、当該バイオガスをガス使用装置に供給するように、切替部を制御する切替制御部と、を備える。【選択図】  図１
2019158312.tif 000002
【特許請求の範囲】
【請求項１】
発酵槽で発生するバイオガスを燃焼する燃焼装置と、
前記燃焼装置に前記バイオガスを供給する状態と、前記バイオガスを使用するガス使用装置に、前記バイオガスを供給する状態と、を切り替える切替部と、
前記燃焼装置及び前記切替部を制御する制御装置と、を備え、
前記制御装置は、
前記燃焼装置で前記バイオガスの燃焼試験をさせる燃焼試験制御部と、
前記燃焼試験の結果に基づいて、前記バイオガスを前記ガス使用装置に供給することの是非を判定する供給判定部と、
前記供給判定部が前記バイオガスを前記ガス使用装置に供給することを是と判定する場合に、当該バイオガスを前記ガス使用装置に供給するように、前記切替部を制御する切替制御部と、を備える、バイオガス供給装置。
【請求項２】
前記発酵槽は、前記バイオガス供給装置に対して複数設けられ、
前記切替部は、前記発酵槽ごとに、前記燃焼装置に前記バイオガスを供給する状態と前記ガス使用装置に前記バイオガスを供給する状態とを切り替え可能なように、前記発酵槽ごとにそれぞれ備えられ、
前記燃焼試験制御部は、前記発酵槽ごとに、前記バイオガスの燃焼試験をさせ、
前記供給判定部は、前記発酵槽ごとに、前記燃焼試験の結果に基づいて、前記バイオガスを前記ガス使用装置に供給することの是非を判定する、請求項１に記載のバイオガス供給装置。
【請求項３】
前記切替制御部は、前記供給判定部が前記バイオガスを前記ガス使用装置に供給することを非と判定する場合に、当該バイオガスを前記燃焼装置に供給するように、前記切替部を制御する、請求項１又は２に記載のバイオガス供給装置。
【請求項４】
請求項１〜３の何れか１項に記載のバイオガス供給装置と、
前記バイオガスを発生させる前記発酵槽と、
前記バイオガスを燃焼させて発電する、前記ガス使用装置としての発電装置と、を備える、発電システム。
【発明の詳細な説明】
【技術分野】
【０００１】
本発明は、バイオガス供給装置及び発電システムに関する。
【背景技術】
【０００２】
従来、例えば、発電システムは、バイオガスを発生させる発酵槽と、バイオガスを燃焼させて発電する発電装置とを備えている（例えば、特許文献１）。そして、発酵槽で発生したバイオガスの有効成分（例えば、メタン）の濃度が低い場合には、当該バイオガスによって発電装置を稼働することができない。
【０００３】
そこで、特許文献１に係る発電システムのバイオガス供給装置は、バイオガスの有効成分の濃度を測定する濃度計を備えている。これにより、適正なバイオガスを発電装置に供給することができている。ところで、例えば、濃度計が高価である等の理由によって、近年、濃度計を設けることなく、発電装置等のガス使用装置に、適正なバイオガスを供給したいという要望がある。
【先行技術文献】
【特許文献】
【０００４】
【特許文献１】特開２００３−２９３８６０号公報
【発明の概要】
【発明が解決しようとする課題】
【０００５】
そこで、第１の課題は、濃度計を設けることなく、適正なバイオガスを供給することができるバイオガス供給装置を提供することである。
【０００６】
また、第２課題は、濃度計を設けることなく、適正なバイオガスを燃焼して発電することができる発電システムを提供することである。
【課題を解決するための手段】
【０００７】
バイオガス供給装置は、発酵槽で発生するバイオガスを燃焼する燃焼装置と、前記燃焼装置に前記バイオガスを供給する状態と、前記バイオガスを使用するガス使用装置に、前記バイオガスを供給する状態と、を切り替える切替部と、前記燃焼装置及び前記切替部を制御する制御装置と、を備え、前記制御装置は、前記燃焼装置で前記バイオガスの燃焼試験をさせる燃焼試験制御部と、前記燃焼試験の結果に基づいて、前記バイオガスを前記ガス使用装置に供給することの是非を判定する供給判定部と、前記供給判定部が前記バイオガスを前記ガス使用装置に供給することを是と判定する場合に、当該バイオガスを前記ガス使用装置に供給するように、前記切替部を制御する切替制御部と、を備える。
【０００８】
また、バイオガス供給装置においては、前記発酵槽は、前記バイオガス供給装置に対して複数設けられ、前記切替部は、前記発酵槽ごとに、前記燃焼装置に前記バイオガスを供給する状態と前記ガス使用装置に前記バイオガスを供給する状態とを切り替え可能なように、前記発酵槽ごとにそれぞれ備えられ、前記燃焼試験制御部は、前記発酵槽ごとに、前記バイオガスの燃焼試験をさせ、前記供給判定部は、前記発酵槽ごとに、前記燃焼試験の結果に基づいて、前記バイオガスを前記ガス使用装置に供給することの是非を判定する、という構成でもよい。
【０００９】
また、バイオガス供給装置においては、前記切替制御部は、前記供給判定部が前記バイオガスを前記ガス使用装置に供給することを非と判定する場合に、当該バイオガスを前記燃焼装置に供給するように、前記切替部を制御する、という構成でもよい。
【００１０】
また、発電システムは、前記のバイオガス供給装置と、前記バイオガスを発生させる前記発酵槽と、前記バイオガスを燃焼させて発電する、前記ガス使用装置としての発電装置と、を備える。
【図面の簡単な説明】
【００１１】
【図１】図１は、一実施形態に係る発電システムの全体概要図である。
【図２】図２は、同実施形態に係るバイオガス供給装置の制御ブロック図である。
【図３】図３は、同実施形態に係るバイオガス供給装置の制御フロー図である。
【図４】図４は、同実施形態に係る第１発酵槽燃焼試験工程の制御フロー図である。
【図５】図５は、同実施形態に係る第２発酵槽燃焼試験工程の制御フロー図である。
【図６】図６は、同実施形態に係る第３発酵槽燃焼試験工程の制御フロー図である。
【図７】図７は、同実施形態に係るガス供給切替工程の制御フロー図である。
【発明を実施するための形態】
【００１２】
以下、発電システム及びバイオガス供給装置における一実施形態について、図１〜図７を参照しながら説明する。なお、各図において、図面の寸法比と実際の寸法比とは、必ずしも一致しておらず、また、各図面の間での寸法比も、必ずしも一致していない。
【００１３】
図１に示すように、本実施形態に係る発電システム１は、バイオガスを発生させる複数の発酵槽２と、バイオガスを燃焼させて発電する発電装置３とを備えている。また、発電システム１は、発酵槽２のバイオガスを発電装置３に供給するバイオガス供給装置４を備えている。
【００１４】
例えば、発酵槽２の内部で、微生物（例えば、メタン菌）が原料の有機物（例えば、食品廃棄物、食物残渣）を分解することで、バイオガス（例えば、メタンガス）が発生する。本実施形態においては、発酵槽２は、発電システム１に三槽備えられている、という構成であるが、例えば、一槽、二槽又は四槽以上である、という構成でもよく、発酵槽２の数は、特に限定されない。
【００１５】
発電装置３は、バイオガスを燃焼させて発電する装置であれば、特に限定されない。例えば、発電装置３は、バイオガスを燃焼させて発電し、且つ、その燃焼された熱によって加熱媒体（例えば、蒸気、温水）を生成するコジェネ装置としてもよい。
【００１６】
バイオガス供給装置４は、発酵槽２で発生するバイオガスを燃焼する燃焼装置５と、燃焼装置５に補助燃料を供給する補助燃料供給部６とを備えている。また、バイオガス供給装置４は、発酵槽２からのバイオガスを発電装置３に供給する状態と燃焼装置５に供給する状態とを切り替える切替部７を備えている。
【００１７】
燃焼装置５は、発酵槽２から供給されたバイオガスや、補助燃料供給部６から供給された補助燃料を燃焼する。そして、燃焼装置５は、燃焼温度（具体的には、排ガス温度）を検出する燃焼温度検出部５ａと、燃焼が失火したことを検出する失火検出部５ｂとを備えている。
【００１８】
補助燃料供給部６は、補助燃料（例えば、液化石油ガス、プロパンガス）を貯蔵する補助燃料源（例えば、ガスボンベ）６ａと、補助燃料の供給流量を検出する燃料流量検出部６ｂと、配管（採番していない）とを備えている。補助燃料供給部６は、燃焼装置５を点火させる際や、有効成分（例えば、メタン）の濃度が低いバイオガスを燃焼させる際に、燃焼装置５に供給される。
【００１９】
切替部７は、発酵槽２で発生したバイオガスを発酵槽２の外部に導出するガス導出部８と、ガス導出部８から発電装置３にバイオガスを供給する第１供給部９と、ガス導出部８から燃焼装置５にバイオガスを供給する第２供給部１０とを備えている。また、切替部７は、ガス導出部８と第１供給部９とが導通する状態とガス導出部８と第２供給部１０とが導通する状態とを切り替える切替バルブ１１を備えている。
【００２０】
そして、切替部７は、発酵槽２ごとに、発電装置３にバイオガスを供給する状態と燃焼装置５にバイオガスを供給する状態とを切り替え可能なように、発酵槽２ごとにそれぞれ備えられている。即ち、切替部７の数は、発酵槽２の数と同じである。本実施形態においては、発酵槽２は、三槽備えられていることに対して、切替部７も、三つ備えられている。
【００２１】
ガス導出部８は、発酵槽２と切替バルブ１１とを接続している。そして、ガス導出部８は、発酵槽２から発生するバイオガスの流量を検出するガス流量検出部８ａと、内部のガス圧力を検出するガス圧力検出部８ｂと、配管（採番していない）とを備えている。
【００２２】
第１供給部９は、配管（採番していない）を備えており、切替バルブ１１と発電装置３とを接続している。第２供給部１０は、配管（採番していない）を備えており、切替バルブ１１と燃焼装置５とを接続している。
【００２３】
切替バルブ１１は、特に限定されないが、三方弁とすることができる。なお、切替バルブ１１は、複数の開閉弁を備えている、例えば、ガス導出部８と第１供給部９との間を開閉する第１開閉弁と、ガス導出部８と第２供給部１０との間を開閉する第２開閉弁とを備えている、という構成でもよい。
【００２４】
図２に示すように、バイオガス供給装置４は、ユーザが情報を入力するための入力部１２を備えている。また、バイオガス供給装置４は、燃焼装置５及び切替部７（具体的には、切替バルブ１１）を制御する制御装置１３を備えている。
【００２５】
制御装置１３は、入力部１２や各検出部５ａ，５ｂ，６ｂ，８ａ，８ｂからの情報を取得する取得部１３ａと、各情報を記憶する記憶部１３ｂと、燃焼装置５で、各発酵槽２のバイオガスの燃焼試験をさせる燃焼試験制御部１３ｃとを備えている。また、制御装置１３は、燃焼試験の結果に基づいて、バイオガスを発電装置３に供給することの是非を判定する供給判定部１３ｄと、供給判定部１３ｄの判定に基づいて、切替部７（具体的には、切替バルブ１１）を制御する切替制御部１３ｅとを備えている。
【００２６】
燃焼試験制御部１３ｃは、燃焼装置５及び切替バルブ１１を制御することによって、燃焼装置５で、各発酵槽２のバイオガスの燃焼試験をさせる。具体的には、燃焼試験制御部１３ｃは、切替バルブ１１を切り替えることによって、発酵槽２ごとに、燃焼装置５でバイオガスの燃焼試験をさせる。
【００２７】
供給判定部１３ｄは、発酵槽２ごとに、燃焼試験の結果に基づいて、バイオガスを発電装置３に供給することの是非を判定する。本実施形態においては、失火検出部５ｂが燃焼装置５の失火を検出したか否かによって、供給判定部１３ｄは、判定している。
【００２８】
具体的には、バイオガスのみで所定時間失火することなく燃焼した場合に、供給判定部１３ｄは、有効成分の濃度が設定値以上であるとして、バイオガスを発電装置３に供給することを是と判定する。反対に、失火した場合に、供給判定部１３ｄは、有効成分の濃度が設定値未満であるとして、バイオガスを発電装置３に供給することを非と判定する。
【００２９】
そして、供給判定部１３ｄが所定の発酵槽２のバイオガスを発電装置３に供給することを是と判定する場合に、切替制御部１３ｅは、当該バイオガスを発電装置３に供給するように、切替バルブ１１を制御する。そして、発電装置３は、当該バイオガスを燃焼して発電する。
【００３０】
反対に、供給判定部１３ｄが所定の発酵槽２のバイオガスを発電装置３に供給することを非と判定した場合に、切替制御部１３ｅは、当該バイオガスを燃焼装置５に供給するように、切替バルブ１１を制御する。そして、燃焼装置５は、当該バイオガスを燃焼して処理する。
【００３１】
したがって、燃焼装置５は、バイオガスの燃焼試験をする際には、発電装置３に供給できる成分であるか否かを試験する燃焼試験装置として機能する。結果的には、燃焼装置５は、バイオガスの有効成分の濃度を測定する濃度測定装置として機能する。一方、燃焼装置５は、有効成分の濃度が設定値未満のバイオガスを燃焼する際には、不適正なバイオガスの処理装置（余剰ガス処理装置、フレアスタック）として機能する。このように、燃焼装置５は、ガス燃焼試験装置とガス処理装置といった複数の機能を有している。
【００３２】
本実施形態に係る発電システム１及びバイオガス供給装置４の構成については以上の通りであり、次に、本実施形態に係るバイオガス供給装置４の制御フローについて図３〜図７を参照しつつ説明する。なお、当該制御フローは、一例であって、斯かるフローに限定されない。
【００３３】
図３に示すように、燃焼試験時間になった場合には（Ｓ１の「Ｙ」）、燃焼試験工程Ｓ３〜Ｓ７となり、燃焼試験時間でない場合には（Ｓ１の「Ｎ」）、通常運転工程Ｓ２となる。なお、燃焼試験時間は、特に限定されないが、発酵処理が急激に変化し難いことを考慮し、例えば、１２時間ごとや２４時間ごとに設定してもよい。
【００３４】
また、通常運転工程Ｓ２においては、各切替バルブ１１を切り替えることなく、直近の燃焼試験工程Ｓ３〜Ｓ７で設定されたバイオガスの供給経路が維持されている。また、燃焼装置５で燃焼するバイオガス（有効成分の濃度が設定値未満のバイオガス）が存在する場合には、ガス圧力検出部８ｂで検出する圧力が設定値以上となった場合に、燃焼装置５は、（例えば、装置内のバルブを開放することで）バイオガスを導入し、その後、燃焼して処理する。
【００３５】
一方、燃焼試験工程Ｓ３〜Ｓ７においては、燃焼試験制御部１３ｃは、燃焼装置５で、第１発酵槽２で発生したバイオガスのみの燃焼試験をする（第１発酵槽燃焼試験工程Ｓ３）。その後、燃焼試験制御部１３ｃは、第２発酵槽２で発生したバイオガスの燃焼試験、第３発酵槽２で発生したバイオガスのみの燃焼試験を、それぞれ燃焼装置５でする（第２発酵槽燃焼試験工程Ｓ４、第３発酵槽燃焼工程Ｓ５）。
【００３６】
そして、各燃焼試験の結果に基づいて、切替制御部１３ｅは、切替バルブ１１によって、バイオガスの供給経路を適切に切り替える（ガス供給切替工程Ｓ６）。その後、燃焼試験制御部１３ｃは、燃焼装置５を停止する（燃焼装置停止工程Ｓ７）。
【００３７】
ここで、発酵槽燃焼試験工程Ｓ３〜Ｓ５について、図４〜図６を参照しながら、詳細を説明する。
【００３８】
第１発酵槽燃焼試験工程Ｓ３においては、図４に示すように、燃焼装置５が運転していない場合には（Ｓ３ａの「Ｎ」）、燃焼装置５が起動される（Ｓ３ｂ）。このとき、燃焼装置５は、補助燃料供給部６から供給された補助燃料を燃焼することで、起動する。
【００３９】
そして、第１発酵槽２が稼働している場合で（Ｓ３ｃの「Ｙ」）、且つ、第１発酵槽２が試験対象である場合に（Ｓ３ｄの「Ｙ」）に、各切替バルブ１１が切り替えられる。これにより、第２及び第３発酵槽２のバイオガスが、発電装置３に供給される一方で、第１発酵槽２のバイオガスのみが、燃焼装置５に供給されて、燃焼装置５で燃焼試験をされる（Ｓ３ｅ）。
【００４０】
なお、第１発酵槽２が稼働していない場合には（Ｓ３ｃの「Ｎ」）、発酵が行われておらず、バイオガスが発生していていないため、第１発酵槽２のバイオガスの燃焼試験が省略される。また、第１発酵槽２が試験対象でない場合には（Ｓ３ｄの「Ｎ」）、後述するように、過去の燃焼試験により、第１発酵槽２のバイオガスの有効成分濃度が設定値以上であることが確認されているため、第１発酵槽２のバイオガスの燃焼試験が省略される。
【００４１】
そして、補助燃料が供給されている場合には、その供給が停止され、その後、燃焼装置５が、第１発酵槽２のバイオガスのみで所定時間だけ燃焼を継続できた場合には（Ｓ３ｆの「Ｎ」）、第１発酵槽２のバイオガスの有効成分濃度が設定値以上であるとして、第１発酵槽２が次回以降の燃焼試験の対象から除外される（Ｓ３ｇ）。反対に、燃焼装置５が失火した場合には（Ｓ３ｆの「Ｙ」）、第１発酵槽２のバイオガスの有効成分濃度が設定値未満であるとして、第１発酵槽２の燃焼試験が終了される。
【００４２】
また、第１発酵槽燃焼試験工程Ｓ３が終了すると、図５に示すように、第２発酵槽燃焼試験工程Ｓ４が実施され、その後、図６に示すように、第３発酵槽燃焼試験工程Ｓ５が実施される。なお、第２発酵槽燃焼試験工程Ｓ４及び第３発酵槽燃焼試験工程Ｓ５は、第１発酵槽燃焼試験工程Ｓ３と略同じであるため、その詳細な説明は繰り返さない。
【００４３】
なお、燃焼試験の順番は、第１発酵槽２、第２発酵槽２、第３発酵槽２の順番である、という構成に限られず、燃焼試験の順番は、特に限定されない。また、一回の燃焼試験工程Ｓ３〜Ｓ７において、全ての発酵槽２の燃焼試験工程Ｓ３〜Ｓ５をする、という構成に限られず、一回の燃焼試験工程において、一部（例えば、一つ又は二つ）の発酵槽２の燃焼試験工程Ｓ３〜Ｓ５をし、次の燃焼試験工程において、他の発酵槽２の燃焼試験工程Ｓ３〜Ｓ５をする、という構成でもよい。
【００４４】
次に、ガス供給切替工程Ｓ６について、図７を参照しながら、詳細を説明する。
【００４５】
ガス供給切替工程Ｓ６においては、図７に示すように、第１発酵槽２が燃焼試験の対象から除外されている場合は（Ｓ６ａの「Ｙ」）、第１発酵槽２のバイオガスの有効成分濃度が設定値以上の場合である。斯かる場合には、切替バルブ１１が制御されることによって、当該バイオガスが発電装置３に供給される（Ｓ６ｂ）。
【００４６】
反対に、第１発酵槽２が燃焼試験の対象から除外されていない場合は（Ｓ６ａの「Ｎ」）、第１発酵槽２のバイオガスの有効成分濃度が設定値未満の場合である。斯かる場合には、切替バルブ１１が制御されることによって、当該バイオガスが燃焼装置５に供給される（Ｓ６ｃ）。
【００４７】
同様に、第２発酵槽２が燃焼試験の対象から除外されている場合には（Ｓ６ｄの「Ｙ」）、当該バイオガスが発電装置３に供給される（Ｓ６ｅ）。反対に、第２発酵槽２が燃焼試験の対象から除外されていない場合には（Ｓ６ｄの「Ｎ」）、当該バイオガスが燃焼装置５に供給される（Ｓ６ｆ）。
【００４８】
また同様に、第３発酵槽２が燃焼試験の対象から除外されている場合には（Ｓ６ｇの「Ｙ」）、当該バイオガスが発電装置３に供給される（Ｓ６ｈ）。反対に、第３発酵槽２が燃焼試験の対象から除外されていない場合には（Ｓ６ｇの「Ｎ」）、当該バイオガスが燃焼装置５に供給される（Ｓ６ｉ）。
【００４９】
このように、有効成分濃度が設定値以上であるバイオガスのみが、発電装置３に供給されるため、例えば、発電装置３が停止することを防止することができる。したがって、発電装置３で安定して発電することができる。
【００５０】
以上より、本実施形態に係るバイオガス供給装置４は、発酵槽２で発生するバイオガスを燃焼する燃焼装置５と、前記燃焼装置５に前記バイオガスを供給する状態と、前記バイオガスを使用するガス使用装置３に、前記バイオガスを供給する状態と、を切り替える切替部７と、前記燃焼装置５及び前記切替部７を制御する制御装置１３と、を備え、前記制御装置１３は、前記燃焼装置５で前記バイオガスの燃焼試験をさせる燃焼試験制御部１３ｃと、前記燃焼試験の結果に基づいて、前記バイオガスを前記ガス使用装置３に供給することの是非を判定する供給判定部１３ｄと、前記供給判定部１３ｄが前記バイオガスを前記ガス使用装置３に供給することを是と判定する場合に、当該バイオガスを前記ガス使用装置３に供給するように、前記切替部７を制御する切替制御部１３ｅと、を備える。
【００５１】
斯かる構成によれば、バイオガスの燃焼試験が燃焼装置５でされ、当該燃焼試験の結果に基づいて、バイオガスをガス使用装置３に供給することの是非が、判定される。そして、是と判定された場合に、当該バイオガスがガス使用装置３に供給されるため、濃度計を設けることなく、適正なバイオガスをガス使用装置３に供給することができる。
【００５２】
また、本実施形態に係るバイオガス供給装置４においては、前記発酵槽２は、前記バイオガス供給装置４に対して複数設けられ、前記切替部７は、前記発酵槽２ごとに、前記燃焼装置５に前記バイオガスを供給する状態と前記ガス使用装置３に前記バイオガスを供給する状態とを切り替え可能なように、前記発酵槽２ごとにそれぞれ備えられ、前記燃焼試験制御部１３ｃは、前記発酵槽２ごとに、前記バイオガスの燃焼試験をさせ、前記供給判定部１３ｄは、前記発酵槽２ごとに、前記燃焼試験の結果に基づいて、前記バイオガスを前記ガス使用装置３に供給することの是非を判定する、という構成である。
【００５３】
斯かる構成によれば、複数の発酵槽２に対して、発酵槽２ごとに、バイオガスの燃焼試験がされ、発酵槽２ごとに、燃焼試験の結果に基づいて、バイオガスをガス使用装置３に供給することの是非が、判定される。これにより、是と判定されたバイオガスのみがガス使用装置３に供給されるため、適正なバイオガスをガス使用装置３に安定して供給することができる。
【００５４】
また、本実施形態に係るバイオガス供給装置４においては、前記切替制御部１３ｅは、前記供給判定部１３ｄが前記バイオガスを前記ガス使用装置３に供給することを非と判定する場合に、当該バイオガスを前記燃焼装置５に供給するように、前記切替部７を制御する、という構成である。
【００５５】
斯かる構成によれば、ガス使用装置３に供給することが非と判定されたバイオガスは、燃焼装置５に供給される。そして、当該バイオガスが燃焼装置５で燃焼されて処理されるため、燃焼装置５は、バイオガスの燃焼試験装置と、不適正なバイオガスの処理装置とを兼ねることができる。
【００５６】
また、本実施形態に係る発電システム１は、前記のバイオガス供給装置４と、前記バイオガスを発生させる前記発酵槽２と、前記バイオガスを燃焼させて発電する、前記ガス使用装置３としての発電装置３と、を備える。
【００５７】
斯かる構成によれば、バイオガス供給装置４によって、濃度計を設けることなく、適正なバイオガスが発電装置３に供給されている。これにより、濃度計を設けることなく、適正なバイオガスを燃焼して発電することができる。
【００５８】
なお、発電システム１及びバイオガス供給装置４は、上記した実施形態の構成に限定されるものではなく、また、上記した作用効果に限定されるものではない。また、発電システム１及びバイオガス供給装置４は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００５９】
（１）上記実施形態に係るバイオガス供給装置４においては、燃焼試験制御部１３ｃは、発酵槽２ごとに、バイオガスの燃焼試験をさせる、という構成である。しかしながら、バイオガス供給装置４は、斯かる構成に限られない。
【００６０】
例えば、バイオガス供給装置４は、複数の発酵槽２から発生するバイオガスを混合させ、燃焼試験制御部１３ｃは、混合されたバイオガスの燃焼試験をさせる、という構成でもよい。斯かる構成においては、バイオガス供給装置４は、複数の発酵槽２から発生するバイオガスを貯蔵するガスタンクを備えている、という構成でもよい。
【００６１】
（２）また、上記実施形態に係るバイオガス供給装置４においては、発電装置３に供給することを非と判定されたバイオガスは、燃焼装置５で燃焼されて処理される、という構成である。しかしながら、バイオガス供給装置４は、斯かる構成に限られない。例えば、当該ガスは、有効成分を抽出して濃度を高める精製装置で処理される、という構成でもよい。また、例えば、当該ガスは、バイオガスに含まれる有害成分のみを除去する有害成分除去装置で処理される、という構成でもよい。
【００６２】
（３）また、上記実施形態に係るバイオガス供給装置４においては、ガス使用装置３は、発電装置３である、という構成である。しかしながら、バイオガス供給装置４は、斯かる構成に限られない。例えば、ガス使用装置３は、ボイラである、という構成でもよい。
【００６３】
（４）また、上記実施形態に係るバイオガス供給装置４においては、燃焼装置５がバイオガスのみで所定時間だけ燃焼できた場合に、供給判定部１３ｄは、当該バイオガスを発電装置３に供給することを是と判定する、という構成である。しかしながら、バイオガス供給装置４は、斯かる構成に限られない。例えば、燃焼装置５で要求される有効成分濃度と、発電装置３で要求される有効成分濃度との違いによって、発電装置３に供給することを是とする適切な判定基準が採用される。
【００６４】
例えば、バイオガスのみで燃焼できるだけでなく、その上で、燃焼温度検出部５ａで検出される温度が設定値以上である、という判定基準が採用されてもよい。また、例えば、バイオガスと補助燃料との混合物が燃焼装置５で燃焼できた際に、バイオガスの割合が設定値以上である、という判定基準が採用されてもよい。
【００６５】
（５）また、上記実施形態に係るバイオガス供給装置４は、例えば、１２時間ごとや２４時間ごとのように所定時間ごとに、燃焼試験をする、という構成である。しかしながら、バイオガス供給装置４は、斯かる構成に限られない。例えば、バイオガス供給装置４は、所定量のガスが発生するごとに、燃焼試験をする、という構成でもよい。即ち、バイオガス供給装置４は、燃焼できる程度のバイオガスが発生した場合に、ガス使用装置３に供給することを是と判定するまで、燃焼試験を継続する、という構成でもよい。
【符号の説明】
【００６６】
１…発電システム、２…発酵槽、３…発電装置、４…バイオガス供給装置、５…燃焼装置、５ａ…燃焼温度検出部、５ｂ…失火検出部、６…補助燃料供給部、６ａ…補助燃料源、６ｂ…燃料流量検出部、７…切替部、８…ガス導出部、８ａ…ガス流量検出部、８ｂ…ガス圧力検出部、９…第１供給部、１０…第２供給部、１１…切替バルブ、１２…入力部、１３…制御装置、１３ａ…取得部、１３ｂ…記憶部、１３ｃ…燃焼試験制御部、１３ｄ…供給判定部、１３ｅ…切替制御部
【図１】
2019158312.tif 000003
【図２】
2019158312.tif 000004
【図３】
2019158312.tif 000005
【図４】
2019158312.tif 000006
【図５】
2019158312.tif 000007
【図６】
2019158312.tif 000008
【図７】
2019158312.tif 000009